Podtech/llm-jp-corpus-v4-ja_patent huggingface dataset:
(57)【要約】      （修正有）【課題】着物を装着するにあたり専門的な知識又は学習する手間隙をはぶき簡単に浴衣から着物まで装着できるワンタッチ着物帯の提供。【解決手段】着物の着用に際し、もっとも手間のかかる、帯びの、着用を、簡便化する事で、誰でも、手軽に、着物が着用出来る様になる。その為、従来同様の考え方をもった、ワンタッチ帯と異なり、帯自帯に取り付けられた、ボタン１を、活用する事で、まったく、着物を着用した事のない人でも感覚的、又、簡便に帯の装着が可能になる。【選択図】図１
0003114321.tif 000002
【実用新案登録請求の範囲】
【請求項１】
帯、自体がすでに形状化しており、帯自体にボタンが取り付けられてあり、長さの調整は、腰の部分の形取られた部分をスライドする事により取り付ける人間の状態に合わせ調整する事が出来るワンタッチ着物帯。
【考案の詳細な説明】
【技術分野】
【０００１】    本考案は、浴衣及び着物に利用する帯に関する。
【背景技術】
【０００２】    従来の帯の中にワンタッチと称する帯はあるが、袋部分と腰に巻く部分が分離されており、ワンタッチと称するが比較的装着に手間隙がかかる構成となっている。【０００３】    帯自体、現在まで１枚物の帯を形どり、着物を着するにおいて専門的知識又は装着の学習をしないとだれでも装着できるものではなかった。【０００４】    着物自体の文化継承的面から考慮してもコストの面や、着物自体を装着するにしても一番難しい部分が帯の装着で専門的な学習をしないと着物自体装着することも困難となり日本文化の象徴と言っても過言ではない着物の着物の良さ及び利点が普及しにくい要因となっている。
【考案の開示】
【０００５】    着物自体装着するのに一番難しく手間隙がかかる部分が帯の装着であり、着物自体の文化を若い世代にも用意に伝達できない中、手軽に装着でき、かつシンプルでデザイン性のある素材を活用する事によりコスト面も軽減でき日本文化の伝達を若い世代の人たちにもより広める事が目的である。
【０００６】    着物を装着するにあたり専門的な知識又は学習する手間隙をはぶき簡単に浴衣から着物まで装着できる事を目的とする。
【課題を解決するための手段】
【０００７】    本考案は、着用する人間の胴廻りの太さに合わせるために１本の帯に袋の部分を装着させ、袋の部分をスライドさせる事により着用する人間の腰廻りに合うよう対処し、デザイン性を持ったボタンにより帯を止めることが出来るよう対処した。
【考案の効果】
【０００８】    上述のように本考案のワンタッチ式帯は、装着が楽でデザイン性もシンプルなだけでなく着物を脱ぐ段階でも作業がワンタッチではずすことができ、帯の袋の部分がすでに形取られおおものであるため収納も簡便になり上述した従来の煩わしさを解決する事が出来、併せて着物文化の伝承にも効果を発揮する。
【０００９】    以下、本考案の実施形態を図１に基づいて説明する。
【００１０】    図１において、１は帯の袋の部分、２は帯を止めるボタン３はボタンを止めるゴム状の部品、４は帯自体。
以上で構成されている。
【００１１】    装着時１の袋部分をスライドする事により位置の調節を背中の中央に位置する事ができ、個々の体型に合わせる事が出来る。
【００１２】    上述の袋の位置を調整したあと３にて２にボタンにて固定する。
【００１３】    収納時は、４の帯のみたたみ収納する。
【図面の簡単な説明】
【００１４】
【図１】本考案の実施形態を示す、ワンタッチ式帯の正面図
【符号の説明】
【００１５】１    帯の袋
２    帯、固定用のボタン
３    帯、固定用のゴム部品
４    帯、本体
【図１】
0003114321.tif 000003
(57)【要約】【課題】  本考案は、身体をほぐすことにより身体の血液循環を良くし、筋肉疲労や内臓強化や骨盤調整さらには簡易運動効果につながるための、筋肉ほぐし具を提供する。【解決手段】  梃子支持斜台本体に背骨ほぐし部と肩ほぐし部を備えた背あて部を設け、梃子部の中央部分に非スリップ緩衝材を備えたローラー回転筒部を装着したことを特徴とする筋肉ほぐし矯正具である。【選択図】    図１
0003114324.tif 000002
【実用新案登録請求の範囲】
【請求項１】
梃子支持斜台本体に背骨ほぐし部と肩ほぐし部を備えた背あて部を設け、梃子支持斜台本体に設けてある孔を通して梃子部の先端部を通し、梃子部の先端部の一部を鋭角に切り落とした面を、背あて部の裏面に固定させるように設け、梃子支持斜台本体の面に当る箇所の梃子部の位置に回転支持固定部を設け、ローラー回転筒部のストッパーに止め環を設け、梃子部の中央部分に非スリップ緩衝材を備えたローラー回転筒部を装着したことを特徴とする筋肉ほぐし矯正具。
【考案の詳細な説明】
【技術分野】
【０００１】  本考案は、身体をほぐすことにより身体の血液循環を良くし、筋肉疲労や内臓強化や骨盤調整さらには、簡易運動効果につながるための、筋肉ほぐしに関するものである。
【背景技術】
【０００２】  従来、手動固定具では単体のローラーを身体の一部に添わせて筋肉ほぐしをしていた。又、肩たたき等、手動の器具を用いてたたいたりしていた。
【考案の開示】
【考案が解決しようとする課題】
【０００３】  その為に次のような問題点があった。
（イ）肩たたき等、手動の器具を用いると、手の方が疲れる等問題点があった。
（ロ）手動型のローラーや数珠のような大珠を繋ぎ合わせたもので、背を撫で転がすなどの器具は、ローラー部が軽かったり、回転部の大きさが小さく、身体の筋肉ほごしに加わる力が弱い為、本来の筋肉ほごしの効果が足りなかった等の問題点があった。
【課題を解決するための手段】
【０００４】  梃子支持斜台本体に背骨ほぐし部と肩ほぐし部を備えた背あて部を設け、梃子部の中央部分に非スリップ緩衝材を備えたローラー回転筒部を装着した筋肉ほぐし矯正具である。
【考案の効果】
【０００５】  梃子の応用で、力を要さず軽い動作で、身体の筋肉を容易にほごし、使用においての体力負担がなく効果的に各部の身体の筋肉をほごす事が出来る。
【考案を実施するための最良の形態】
【０００６】  以下本考案の実施の形態について説明する。
（イ）梃子支持斜台本体（１）に背骨ほぐし部（４）と肩ほぐし部（５）を備えた背あて部（３）を設け、梃子支持斜台本体（１）に設けてある孔（１０）を通して梃子部（２）の先端部を通し、梃子部（２）の先端部の一部を鋭角に切り落とした面を、背あて部（３）の裏面に固定させるように設ける。
（ロ）梃子支持斜台本体（１）の面に当る箇所の梃子部（２）の位置に回転支持固定部（８）を設け、ローラー回転筒部（６）のストッパーに止め環（９）を設け、梃子部（２）の中央部分に非スリップ緩衝材（７）を備えたローラー回転筒部（６）を装着する。
本考案は、以上の構造でこれを使用するときは、
（イ）梃子支持斜台本体（１）は斜傾斜に、背あて部（３）と位置して組み合わてある為、梃子支持斜台本体（１）に設けてある梃子部（２）の握り面は常に、背骨ほぐし部（４）が床面より離れている場合は、梃子支持斜台本体（１）が斜傾斜の為に、長棒でできている梃子部（２）の握り面の部分は梃子部（２）長さとその重みで、床面にあたるようになり斜形状で安定した形になる。
（ロ）背骨ほぐし部（４）を床面に当るようにするには、梃子部（２）の握り面を用いて、梃子部（２）を手で持ち上げることにより、背骨ほぐし部（４）は床面に当り不安定な形で維持される。
（ハ）背骨（１２）の筋肉ほごしに使用するときは、背中（１１）に背あて部（３）をあてて背骨（１２）の面に背骨ほぐし部（４）が当るように上向きの姿勢位置で使用する。梃子部（２）を軽く握り、梃子部（２）を下げたり、上げたりすることにより、背骨ほぐし部（４）が背骨を押指圧する。
（二）梃子支持斜台本体（１）は斜傾斜の為梃子部（２）との不安定なバランスの力を利用して、梃子部（２）を握り、背骨ほぐし部（４）を床面から離したり背骨に当るようにする事が出来梃子の原理で、繰返し容易に押指圧をすることができる。
（ホ）片モミをするときは、肩ほぐし部（５）を片側の肩に載せて、梃子部（２）は身体の前部にくるようにして、梃子部（２）を身体の手前下に引くような動作を繰返すことにより、軽い力で肩に適度な押指圧する事ができる。
（ヘ）首筋等を含む上半身の柔軟整をほぐすときは、背首と肩に載せるようにして腕を回転支持固定部（８）と梃子部（２）に巻き付けるように腕を添えて、上半身を左右にゆっくり回すようにすると、適度に押指圧する事ができ、首などの筋肉ほぐしができる。
（ヘ）大胆部（１５）などの筋肉ほごしをするときは、回転支持固定部（８）と梃子部（２）をそれぞれ手で軽く握り、ローラー回転筒部（６）に設けられている非スリップ緩衝材（７）にあてて、なでるようにこすりますと、ローラー回転筒部（６）が転がり適度な押指圧効果を発揮して、筋肉を柔らかくほごす。
腹筋部（１６）や臀部（１７）など独りでも容易に使う事が出来効果を発揮する。
他の人に施していただくことによっても、身体全体が本考案と一体となって筋肉ほぐし効果が広がりその効力を発揮できる。
【図面の簡単な説明】
【０００７】
【図１】  本考案の斜視図
【図２】  本考案の実施例状態を示す斜視図
【図３】  本考案の実施例状態を示す斜視図
【図４】  本考案の実施例状態を示す斜視図
【符号の説明】
【０００８】  １  梃子支持斜台本体
２  梃子部
３  背あて部
４  背骨ほぐし部
５  肩ほぐし部
６  ローラー回転筒部
７  非スリップ緩衝材
８  回転支持固定部
９  止め環
１０  孔
１１  背中
１２  背骨
１３  左肩
１４  右肩
１５  大胆部
１６  腹筋部
１７  臀部
【図１】
0003114324.tif 000003
【図２】
0003114324.tif 000004
【図３】
0003114324.tif 000005
【図４】
0003114324.tif 000006
(57)【要約】      （修正有）【課題】角度の異なる複数の差し込み用の溝を設けることにより，展示角度を変えて展示することのできる多溝式簡易スタンドを提供する。【解決手段】（１）任意の大きさの木，ガラス，合成樹脂，金属等を用いた重みのある長方体を用意する。（２）写真等を展示するための差し込み用の溝を形成するため，傾斜角度の異なる３本の溝を掘り下げる。（３）これらにより，１個のスタンドで，必要に応じて，展示物の展示角度を変えて使用することが可能である。【選択図】図４
0003114326.tif 000002
【実用新案登録請求の範囲】
【請求項１】
縦がおおよそ４ｃｍ，横がおおよそ６ｃｍ，高さがおおよそ２ｃｍの，木，ガラス，合成樹脂，金属等を用いた長方体で作る多溝式簡易スタンドであり，
（１）写真等を展示するための差し込み用の溝を形成するため，幅おおよそ２ｍｍ，深さおおよそ１ｃｍの溝を，長方体の表面から，少なくとも３本掘り下げ設置する。
▲１▼長方体の長辺の中央部に，横幅一杯に垂直に堀り下げた溝
▲２▼長方体の長辺の片側に，縦幅一杯に外側にやや傾斜して堀り下げた溝
▲３▼▲２▼と反対側の長方体の長辺の片側に，縦幅一杯に，外側に向けて▲２▼より傾斜角度をもたせて堀り下げた溝
（２）このようにして設置した溝のうち，▲１▼の垂直の差し込み用の溝は，写真等を垂直に立てて展示する場合に使用し，▲２▼のやや傾斜した差し込み用の溝は，写真等をやや傾斜させて展示する場合に使用し，写真等の重みでスタンドが浮き上がるのを防止するため，長方体の長辺の片側に寄せて溝を設置し，▲３▼の傾斜した差し込み用の溝は，写真等を▲２▼より傾斜させて展示する場合に使用し，写真等の重みでスタンドが浮き上がるのを防止するため，長方体の長辺の▲２▼と反対側の片側に寄せて，溝を設置する。
以上の構成からなる，展示角度を変えて展示できる多溝式簡易スタンド。
【考案の詳細な説明】
【技術分野】
【０００１】  この考案は，写真等を展示するため，木，ガラス，合成樹脂，金属等を用いた長方体で作る簡易スタンドに，差し込み用の溝を設置したもので，当該スタンドに，角度の異なる複数の溝を設けることにより，展示角度を変えて展示することができる多溝式簡易スタンドに関するものである。
【背景技術】
【０００２】  従来，写真立て等のスタンドとして，木，ガラス，合成樹脂，金属等を用い，一筋だけの差し込み用の溝を有したスタンドはあった。
【考案が解決しょうとする課題】
【０００３】  これらは，次のような問題点があった。
材質，形状は異なっても，写真等を差し込み立てるための溝は，一筋だけのものしかなく，このため，角度を変えて立てようとした場合，別のスタンドを用意しなければならなかった。
本考案は，以上のような欠点をなくし，１個のスタンドで，複数の差し込み用の溝を設けることにより，複数の展示角度に対応できる簡易スタンドとして，簡単に，安全に，経済的に使用できるよう考えたものである。
【課題を解決するための手段】
【０００４】（１）縦がおおよそ４ｃｍ，横がおおよそ６ｃｍ，高さがおおよそ２ｃｍの木，ガラス，合成樹脂，金属等を用いた重みのある長方体を用意する。
（２）写真等を差し込み立てるための溝を形成するため，幅おおよそ２ｍｍ，深さおおよそ１ｃｍの溝を，長方体の表面から，少なくとも３本掘り下げ設置する。
▲１▼長方体の長辺の中央部に，横幅一杯に垂直に堀り下げた溝
▲２▼長方体の長辺の片側に，縦幅一杯に，外側にやや傾斜して堀り下げた溝
▲３▼▲２▼と反対側の長方体の長辺の片側に，縦幅一杯に，▲２▼より外側に向けて傾斜角度をもたせて堀り下げた溝
（３）このようにして設置した差し込み用の溝のうち，▲１▼の垂直の溝は，写真等を垂直に立てて展示する場合に使用し，▲２▼のやや傾斜した溝は，写真等をやや傾斜させて展示する場合に使用し，写真等の重みで，スタンドが浮き上がるのを防止するため，長方体の長辺の片側に寄せて，溝を設置し，▲３▼の傾斜した溝は，写真等を▲２▼より傾斜させて展示する場合に使用し，写真等の重みでスタンドが浮き上がるのを防止するため，長方体の長辺の▲２▼と反対側の片側に寄せて，溝を設置する。
（４）これらにより，複数の差し込み用の溝を設けた１個のスタンドで，必要に応じて，写真等の展示物の展示角度を変えた展示が可能である。
【考案を実施するための最良の形態】
【０００５】  以下，本考案を実施するための最良の形態について説明する。
（１）写真等を立てる場合，必要とする展示角度に応じて，多溝式簡易スタンドの差し込み用の溝を選択し，その溝に写真等を差し込む。
（２）一旦，多溝式簡易スタンドの差し込み用の溝に差し込んだ写真等の展示角度を変える場合は，別の差し込み用の溝に差し変えればよい。
（３）大きなサイズの展示物や薄手で反り帰り易い展示物を展示する場合は，別な溝を利用し，支え用の紙等を差し込み，後ろから支えてもよい。
【考案の効果】
【０００６】  デジカメ，プリンタ−の普及等により，写真の愛好者が増えている。
写真は，撮る楽しみ，見る楽しみ，飾る楽しみ，人にあげる楽しみがあり，そのための器材は整っているが，簡単に，安全に，経済的に使用できるスタンドは見当たらない。
また，ポストカ−ド，絵手紙，絵葉書等も，人気があるものの，簡単に，安全に，経済的に使用できるスタンドは見当たらない。
本考案の多溝式簡易スタンドは，写真等のほか，商品案内，メニュ−等，平面的な展示物，掲示物についても，展示角度を変えて展示することができる。
本考案は，写真等を見る楽しみ，飾る楽しみ，人にあげる楽しみを，より大きくするために考えたもので，次のような特徴をもっている。
（１）小型で，軽く，丈夫である。
（２）何回でも使える。
（３）しまったり持ち歩いたり送ったりする際，邪魔にならず扱いが楽である。
（４）これ自体文鎮として使用でき，また，メモホ−ルダ−にも使用できる。
（５）安価である。
さらに，この多溝式簡易スタンドの応用例としては，
（１）大きさ，重さを調整することにより，より大きな展示物に対応できる。
（２）複数の多溝式簡易スタンドを使用することにより，より大きな展示物に対応できる。
（３）基本的な形状は長方体であるが，丸型，楕円形型，山型，円柱型等の形状も考えられる。
（４）より小型化した多溝式簡易スタンドは，プライスカード，メニュ−カ−ド，ネ−ムプレ−ト用としても使用できる。
（５）この多溝式簡易スタンドは，木，プラスチック板等を使ったものから，金属，ガラス，石等，簡素なスタンドからより高級なスタンドまで，用途に合わせ多種多様な多溝式簡易スタンドとすることができる。
【図面の簡単な説明】
【０００７】
【図１】    本考案の多溝式簡易スタンドの正面図である。
【図２】    本考案の多溝式簡易スタンドの背面図である。
【図３】    本考案の多溝式簡易スタンドの側面図である。
【図４】    本考案の多溝式簡易スタンドの斜視図である。
【符号の説明】
【０００８】      １  簡易スタンド
２  垂直溝
３  やや傾斜した溝
４  傾斜した溝
【図１】
0003114326.tif 000003
【図２】
0003114326.tif 000004
【図３】
0003114326.tif 000005
【図４】
0003114326.tif 000006
(57)【要約】      （修正有）【課題】台紙を用いてカレンダー展示物を面ファスナーで取付け、台紙を加除して必要な月の展示をして、行事予定の記入と保存が出来る台紙連結カレンダーを提供する。【解決手段】書き込みが出来る余白部分を設けたカレンダー５が台紙１に保持され、面ファスナー２，２′，２″で固定組合せるようになっており、長方形の面ファスナー２′で台紙１が連結され、年度札４は吊り手３で吊り下げられる。またカレンダー５が台紙１に簡単に取付けられ、行事予定の記入と保存が容易となった。【選択図】図３
0003114323.tif 000002
【実用新案登録請求の範囲】
【請求項１】
書き込みが出来る余白部分を設けたカレンダーが面ファスナーで保持される台紙に取付け固定され、且つ面ファスナーによって複数枚の台紙の連結を可能とし、カレンダーに行事予定の記入と保存が出来るようにしたことを特徴とする記入と保存が出来る台紙連結カレンダー。
【考案の詳細な説明】
【技術分野】
【０００１】  本考案は、日常的に使用するカレンダーを自在に月毎の展示を変更して、記入と保存が出来る台紙連結カレンダーを提供するものである。
【背景技術】
【０００２】  現在使用されているカレンダーは、日が過ぎると取外されて記録は保存されない。
【考案の開示】
【考案が解決しようとする課題】
【０００３】  現在ではカレンダーの余白部分に行事の予定を記入して使用しているが、日が過ぎるとカレンダーは取外されて行事の記録は残らない。また行事予定を記入する際、数ケ月に及ぶ行事予定を市販のカレンダーでは記入に不便である。さらに数ケ月に及ぶ行事予定をカレンダーに記入する時、誤記入による間違いを生じ、これによる不利益の発生は防止の要があり、又、過去の記録を必要とする時、記録保存がされていないため記録保存の出来るカレンダーが必要である。
【課題を解決するための手段】
【０００４】  上記の目的を達成するため、本考案のカレンダーは台紙と面ファスナーを用いて連結して使用するもので、カレンダーは台紙と面ファスナーで保持され、台紙の面ファスナーが連結して展示が可能で記入と保存が出来る台紙連結カレンダーである。
【考案の効果】
【０００５】  本考案は上記のとおり構成されているので、次に記載する効果がある。【０００６】  カレンダーが台紙に面ファスナーで取付け固定されていて、簡単に取付け取外しが出来る。台紙が面ファスナーで連結されているため、先月、今月、来月又はそれ以上の月毎のカレンダー展示が自在に変更出来る。市販のカレンダーのサイズが多少異なっていても対応出来る。カレンダーの余白部分が不足する時は別台紙を加えて別紙を取付けられ、又、他に別の展示物を取付けても差支えない。【０００７】  過去のカレンダーに記入された行事予定、記録が後日必要とする時、保持されている有用な記録から利益を得られる。【０００８】  使用後のカレンダーは保存される。台紙は繰り返し引続き何年も使用出来るため、カレンダーの利用は取替えるだけで継続して使用される。次年度はカレンダーの注文が期待される。吊り手は吊り場所に応じて自在に幅を変更出来、年度札に広告をのせることが出来る。【０００９】  台紙のあるカレンダーで行事予定の記入は容易に書けるため、記入もれ、誤記、失念による不利益を予防出来る。台紙の使用は台紙の連結により縦横方向に拡大することも可能で、好みの絵図や写真を取付けられる。
【考案を実施するための最良の形態】
【００１０】  以下に、本考案の実施形態を図面に基づいて説明するが、図１は台紙の構造を示す正面斜視図であり、図２は図１のＡ−Ａ線部分における分解端面図であり、図３はカレンダーとして組合せた状態の正面図である。また本考案は書き込みが出来る余白部分を有するカレンダー５と、そのカレンダー５よりも大きな面積を有する台紙１と、３種類の面ファスナー２，２′，２″と、最上部に配置する年度札４とを備えて成るものである。この場合の面ファスナー２は、雌雄の一方側のシート（例えば雌シート）を図１に示すような台紙１の四辺の端部および年度札４の上下に固着して取付けられるものであり、また面ファスナー２に止着する面ファスナー２′は、雌雄の他方側のシート（例えば雄シート）を前記面ファスナー２の２個分の長さよりも長い長方形状に形成したものである。さらに面ファスナー２″も、雌雄の他方側のシートによって面ファスナー２に止着するように形成されたもので、前記面ファスナー２の１個分の長さよりもやや長く形成されている。【００１１】  以上のように形成された各構成材を用いて本考案の連結カレンダーを組立てる場合は、まず台紙１に面ファスナー２を取付け、吊り手３を付設した年度札４に台紙１が面ファスナー２と面ファスナー２′で接続されて吊り下げられるとともに、台紙１にカレンダー５が取付けられる。さらに図２および図３で示すように、カレンダー５は台紙１の面ファスナー２と長方形の面ファスナー２′で挟み固定組合されている。また図３に示すように、長方形の面ファスナー２′で複数の台紙１を連結しており、面ファスナー２″でカレンダー５を押え支持している。【００１２】  図４は６ケ月のカレンダーの場合における実施態様を示す正面図であり、長方形の面ファスナー２′を縦方向および横方向に使用している。また図５は各月の横に拡大したカレンダーの場合における実施態様を示す正面図である。
【図面の簡単な説明】
【００１３】
【図１】本考案の台紙の正面斜視図である。
【図２】本考案の実施形態を示すもので、図１のＡ−Ａ線部分の分解端面図である。
【図３】本考案の正面図である。
【図４】本考案の他の実施態様を示す正面図である。
【図５】本考案の他の実施態様を示す正面図である。
【符号の説明】
【００１４】    １    台紙
２    面ファスナー
２′  長方形のファスナー
２″  押え支持用の面ファスナー
３    吊り手
４    年度札
５    カレンダー
【図１】
0003114323.tif 000003
【図２】
0003114323.tif 000004
【図３】
0003114323.tif 000005
【図４】
0003114323.tif 000006
【図５】
0003114323.tif 000007
(57)【要約】【課題】  本考案は、法面などのような構造物の高さ(深さ)を測る場合に一人作業でも簡単に且つ正確な計測作業のできる水準器を提供しようとするものである。【解決手段】  管型の水準器本体の中心に水糸を貫通自在とした挿通孔を設けてなる水準器と管型の水準器本体の中心に設けた挿通孔に水糸を移動調節自在に貫通させ、水糸の先端には計測する構造物の相方方向に止着自在な引っ掛け具を設けてなる水準器である。【選択図】  図１
0003114355.tif 000002
【実用新案登録請求の範囲】
【請求項１】
管型の水準器本体の中心に水糸を貫通自在とした挿通孔を設けてなる水準器。
【請求項２】
管型の水準器本体の中心に設けた挿通孔に水糸を移動調節自在に貫通させ、水糸の先端には計測する構造物の相方方向に止着自在な引っ掛け具を設けてなる水準器。
【考案の詳細な説明】
【技術分野】
【０００１】
本考案は水準器の改良に関する。
【背景技術】
【０００２】
従来の水準器は一定長さの台木の中央部に水準器を埋め込み、その水準器における気泡の存在を視認して計測するようになっている。
【０００３】
然しながら、法面となっている側溝の側壁、堤防などのような構造物の高さ(深さ)を測る場合に、その構造物の側面が垂直でないためスケールの先端を構造物の底面に当てて垂直に立てその天端を計るようにするが、スケールの天端が構造物の天面と離れるため正確な測定が困難となる。殊に一人作業での作業は困難で正確な測定ができなくなる恐れがある。
【考案の開示】
【考案が解決しようとする課題】
【０００４】
そこで本考案は、法面などのような構造物の高さ(深さ)を測る場合に一人作業でも簡単に且つ正確な計測作業のできる水準器を提供しようとするものである。
【課題を解決するための手段】
【０００５】
本考案は、管型の水準器本体の中心に水糸を貫通自在とした挿通孔を設けてなる水準器と挿通孔に水糸を移動調節自在に貫通させ、水糸の先端には計測する構造物の相方方向に止着自在な引っ掛け具を設けてなる水準である。
【考案の効果】
【０００６】
本考案の効果として、法面などのような構造物の高さを測るのに一人作業でも簡単に且つ正確な計測作業ができる、しかも水準器本体は水糸を移動調節できるので水準器を目視できる位置に移動して計測できるので作業範囲が広がり、使い勝手が良い。
【実施例】
【０００７】
本案を図示の実施例により詳記すると、管型の水準器本体１の中心に水糸２を貫通自在とした挿通孔３を設けてなるものである。
【０００８】
又この挿通孔３には水糸２を移動調節自在に貫通させ、水糸２の先端には計測する構造物４の相方方向に止着自在な引っ掛け具５を設けてなるものである。
【０００９】
水準器本体１は透明樹脂管の内部にアルコールなどの液体と気泡６を封入したものを使用しており、中心位置の気泡６の確認により水平を計測するようになっている。
【００１０】
引っ掛け金具５は計測する構造物４の外壁端に引っ掛けられるようなフック状となっているが、その他の汎用構造のものでも良い。
【００１１】
使用に際しては水準器本体１は通常の水準器としても使用できるが、図３に示すように引っ掛け具５を構造物４の外壁端に引っ掛けて水糸３を引っ張って水準器の気泡６を見ながら水平位置を出し、スケール７で深さを測る。複数人作業の場合は別の方法で計ることができるが、一人作業の場合はきわめて簡単にできて便利である。又水糸２をコンベックス８と結合させておくと管理・使用に便利である。
【図面の簡単な説明】
【００１２】
【図１】本考案にかかわる水準器の平面説明図。
【図２】本案水準器の使用状態説明図。
【符号の説明】
【００１３】
１：水準器本体
２：水糸
３：挿通孔
４：構造物
５：引っ掛け具
６：気泡
７：スケール
８：コンベックス
【図１】
0003114355.tif 000003
【図２】
0003114355.tif 000004
(57)【要約】      （修正有）【課題】木質素材の水分による劣化や汚染性、資源保護、さらに物品の保管、運搬時の安全性を確保出来る。【解決手段】硬質の低発泡熱可塑性合成樹脂成型体からなる細長い多角柱状体の対向する表裏面に、滑り摩擦抵抗に優れた軟質の熱可塑性合成樹脂皮膜層を設けることで、滑り摩擦抵抗を付与して物品の滑りやズレを防止する。【選択図】図１
0003114360.tif 000002
【実用新案登録請求の範囲】
【請求項１】
硬質の低発泡熱可塑性合成樹脂成形体からなる細長い多角柱状体の対向する表裏面に、
滑り摩擦抵抗に優れた軟質の熱可塑性合成樹脂皮膜層を設けたことを特徴とするリン
木。
【請求項２】
請求項１記載のリン木において、前記硬質の低発泡熱可塑性合成樹脂成形体が四角柱
状体で、且つ前記合成樹脂がポリエチレン樹脂又はポリスチレン樹脂に発泡剤を添加
して成形されたことを特徴とするリン木。
【請求項３】
請求項１又は２項に記載のリン木において、前記滑り摩擦抵抗に優れた軟質の熱可塑
性合成樹脂皮膜層が熱可塑性エラストマーにより形成されたことを特徴とするリン木。
【考案の詳細な説明】
【技術分野】
【０００１】
本考案は、物品の在庫、保管や輸送時に物品の下や間に敷いて用いられるリン
木に関する。
【背景技術】
【０００２】
従来のリン木は、細長い四角柱状で、無垢材や集成材或はパーティクルボード
などの木製やアルミや鉄などの金属製などが主であった。
【考案の開示】
【考案が解決しようとする課題】
【０００３】
ところで、従来の木製リン木は、水分による劣化や汚染が発生しやすく、耐
久性に劣り、原料の木材は資源保護等の観点から安定供給の面からも問題があ
る。一方、金属製のリン木は、木材に比べ耐久性には優れるが、重い、高価に
なるなどの他に、木材製のリン木と同様、表面が平滑な為重ねた物品の表面が
平滑な場合は滑り易いなどの問題点があった。その為、用途によってリン木の
表裏面にスポンジやゴムなどの滑り止めを貼り付けた物も見られるが、加工に
手間を要し、価格も高くなるなどの課題があった。
【課題を解決するための手段】
【０００４】
本考案は、上記の様な課題を解決する為になされたもので、その構成は、硬質
の低発泡熱可塑性合成樹脂成型体からなる細長い多角柱状体の対向する表裏面に、
滑り摩擦抵抗に優れた軟質の熱可塑性合成樹脂皮膜層を設けたリン木に係わる。
なお、前記のリン木において、前記硬質の低発泡熱可塑性合成樹脂成形体が四角
柱状体で、且つ合成樹脂がポリエチレン樹脂又はポリスチレン樹脂に発泡剤を添
加して形成しても良いし、前記滑り摩擦抵抗に優れた軟質の熱可塑性合成樹脂皮
膜層を熱可塑性エラストマーにより形成しても良い。
リン木の本体を硬質の低発泡熱可塑性合成樹脂成形体からなる細長い多角柱状
体とすることで、リン木の軽量化と押出し成形機などの使用による連続生産や対
向する表裏面に軟質の熱可塑性エラストマーから成る合成樹脂皮膜層を設けるこ
とで滑り摩擦抵抗を付与して物品の滑りやズレを防止する。
【考案の効果】
【０００５】
本考案のリン木は、水分を吸収しない硬質の低発泡熱可塑性合成樹脂成形体か
ら構成されるので、軽量であるとともに水分による腐れや汚れなどの劣化を防止
して耐久性に優れる。また、表裏面に滑り摩擦抵抗に優れた軟質の熱可塑性合成
樹脂皮膜を設けているので、重ねられる物品の表面が平滑で硬く滑り易い仕上げ
であっても安定し、且つ滑りによる物品表面の傷付を防止する。
さらに、リン木全体を熱可塑性合成樹脂で形成しているので、リサイクルが容
易であり、地球環境保護の面からも寄与できるという効果をもっている。
【考案を実施するための最良の形態】
【０００６】
次に、本考案の実施の形態を実施例になる図面を参照しながら説明する。図１
は本考案の実施例になるリン木をを示す斜視図である。
【０００７】
硬質の低発泡熱可塑性合成樹脂成形体１からなる細長い四角柱状体の対向する
表裏面には、滑り摩擦抵抗に優れた軟質の熱可塑性合成樹脂皮膜層２を設けてい
る。リン木の硬質の低発泡熱可塑性合成樹脂成形体１はポリスチレン樹脂やポリ
エチレン樹脂に発泡剤を０．５〜１．０重量％程度添加し、２〜３倍程度に加熱
発泡させた物であり、押出し成形機などを用いて成形される。
【０００８】
そして、細長い四角柱状体の対向する表裏面に形成される滑り摩擦抵抗に優れ
た軟質の熱可塑性合成樹脂皮膜層２はスチレン・ブタジエン・スチレンブロック
コポリマー（ＳＢＳ）、スチレン・イソプレン・スチレンブロックコポリマー（
ＳＩＳ）、塩ビ系エラストマー（ＴＰＶ）、ウレタン系エラストマー（ＴＰＵ）、
ポリアミド系エラストマー（ＴＰＡＥ）、シリコン系エラストマーなどの熱可塑性
合成樹脂エラストマーを用いることが出来る。
安全面での基準となる、すべり抵抗値（Ｇ）については、金属製リン木の値が
０．１５以下に対し本考案の樹脂製リン木は安全と判断される０．４以上の値で
あり、荷崩れ防止等の安全面においても高い数値である。
硬質の低発泡熱可塑性合成樹脂成形体１表裏面への皮膜層２の形成に当たって
は、押出し成形機を用いて前記低発泡熱可塑性合成樹脂成形体１の成形と同じに
皮膜層２の形成を行っても良いし、別の工程により行っても良い。なお、皮膜層
２の厚さは０．１〜０．３ｍｍ程度あれば良い。
【０００９】
なお、実施例となる図１に示したリン木の組成例を示すと以下のようである。
硬質の低発泡熱可塑性合成樹脂成形体１は下記の配合で成形した。
再生ポリスチレン樹脂            ７５〜８５重量部
バージンポリスチレン樹脂        １５〜２５重量部
顔料                        ０．５〜１．０重量部
油脂分                      ０．１〜０．３重量部
発泡剤                      ０．５〜１．０重量部
そして、表裏面に形成する軟質の熱可塑性合成樹脂皮膜２は、下記のエラストマ
ーを用いた。
スチレン・ブタジエン・スチレンブロックコポリマー（ＳＢＳ）
皮膜の厚さは、０．２ｍｍ
すべり抵抗値（Ｇ）は０．４５
リン木の形状は、長さ２０００ｍｍ、高さ：６０ｍｍ、幅：６０ｍｍの４面柱
状体とした。
なお、リン木の断面形状や寸法は押出し成形機の口金形状を変更することによ
り自由に設定できるが、一般的には、長さ１０００〜３０００ｍｍ、高さと幅は
３０〜９０ｍｍの範囲の正四角柱状体が一般的である。
【図面の簡単な説明】
【００１０】
【図１】本考案の実施例となるリン木を示す斜視図。
【符号の説明】
【００１１】
１  硬質の成型体
２  滑り摩擦抵抗に優れた軟質の熱可塑性合成樹脂皮膜層
【図１】
0003114360.tif 000003
(57)【要約】【課題】本考案は、コンベックス本体のスケールの先端部にピンポールの下端部を定着自在として、正確な計測作業を効率的に行うことのできるコンベックスを提供しようとするものである。【解決手段】  コンベックス本体のスケールの先端部に差し込み金具を設けてピンポールの下端部を定着自在としたコンベックスであり、又その差し込み金具は差込部と固定部とよりなり、差込部は箱型状になっていて上面の対角線位置に切り込みを設けて分割された押え片を内側に折り曲げて挿入孔を設けてあり、この押え片の押圧力により挿入孔に差し込まれたピンポールの下端部を押圧し定着自在とし、固定部はスケールの先端部にリベットにより固定したコンベックスである。【選択図】  図１
0003114356.tif 000002
【実用新案登録請求の範囲】
【請求項１】
コンベックス本体のスケールの先端部に差し込み金具を設けてピンポールの下端を定着自在としたコンベックス。
【請求項２】
差し込み金具は差込部と固定部とよりなり、差込部は箱型状になっていて上面の対角線位置に切り込みを設けて分割された押え片を内側に折り曲げて挿入孔を設けてあり、この押え片の押圧力により挿入孔に差し込まれたピンポールの下端部を押圧し定着自在とし、固定部はスケールの先端部にリベットにより固定してなる請求項１記載のコンベックス。
【考案の詳細な説明】
【技術分野】
【０００１】
本考案はコンベックスの改良に関する。
【背景技術】
【０００２】
従来の流れのある側溝などの水路の深さを計測するには図３に示すようにコンベックス本体１のスケール先端を溝底に当てて計ろうとしているが、流速によってスケール自体が折れ曲がることが多く、正確な計測ができない。
【０００３】
そこでスケール先端の¬状の引っ掛け金具をポール下端で押さえつけて計測しようとするが、ポールと引っ掛け金具とでは当接状態が悪く引っ掛け金具をポールで動かないように押さえつけることは困難であり、又不安定な状態での計測作業となるため正確な作業ができなくなる恐れがある。
【考案の開示】
【考案が解決しようとする課題】
【０００４】
そこで本考案は、コンベックス本体のスケールの先端部にピンポールの下端部を定着自在として、正確な計測作業を効率的に行うことのできるコンベックスを提供しようとするものである。
【課題を解決するための手段】
【０００５】
コンベックス本体のスケールの先端部に差し込み金具を設けてピンポールの下端部を定着自在としたものである。
【考案の効果】
【０００６】
本考案の効果として、ピンポールの下端を、スケール先端部の差し込み金具に簡単に定着させることができるので、流速のある側溝などの水路の底等にも簡単に押さえつけることができてスケールを真直ぐにした状態で正確且つ安定した状態で効率的な計測を行うことができる。
【実施例】
【０００７】
本案を図示の実施例により詳記すると、コンベックス本体１のスケール２の先端部に差し込み金具３を設けてピンポール４の下端を定着自在としたものである。
【０００８】
差し込み金具４は差込部５と固定部６とよりなり、差込部５は箱型状になっていて上面７の対角線位置に切り込み８，８を設けて分割された押え片９，９を点線位置より内側に折り曲げて挿入孔１０を設けてあり、この押え片９，９の押圧力により挿入孔１０に差し込まれたピンポール４の下端部を押圧し定着自在としてある。固定部６はスケール２の先端部にリベット１１，１１により固定してある。
【０００９】
計測作業をするに際してはピンポール４の下端部を挿入孔１０に差し込むことにより押え片９，９はピンポール４の側面を押圧して定着させる。この定着状態を維持してる状態でピンポール４で差し込み金具３を側溝などの底に押し付けスケール２を垂直にして計測する。
【図面の簡単な説明】
【００１０】
【図１】本考案に係るコンベックスの拡大断面説明図。
【図２】差込金具の製作手順の説明図。
【図３】従来計測方法の説明図。
【符号の説明】
【００１１】
１：コンベックス本体
２：スケール
３：差し込み金具
４：ピンポール
５：差込部
６：固定部
７：上面
８，８：切り込み
９，９：押え片
１０：挿入孔
１１，１１：リベット
【図１】
0003114356.tif 000003
【図２】
0003114356.tif 000004
【図３】
0003114356.tif 000005
(57)【要約】【課題】  複数枚のカードの安定保持が可能であるとともに、意匠性にも優れる実用的なカードの収納用ケースを提供する。【解決手段】  開閉可能なケース体１内にブック形態のカードホルダー１５が備えられ、ケース体１が開かれた状態においてカードホルダー１５におけるカードの出し入れが可能とされてなるカード収納用ケース。【選択図】  図１
0003114309.tif 000002
【実用新案登録請求の範囲】
【請求項１】
開閉可能なケース体内にブック形態のカードホルダーが備えられ、前記ケース体が開かれた状態において前記カードホルダーにおけるカードの出し入れが可能とされてなるカード収納用ケース。
【考案の詳細な説明】
【技術分野】
【０００１】  この考案は、各種カードの収納用ケースに関する。
【背景技術】
【０００２】  最近においては使用するカードの種類が多くなり、１０枚近くのカードを常時所持するようになっている。そのように使用するカード枚数が多くなると財布等には納まりきらず、別途の収納具を用いる必要が生じる。その収納具として、現在、例えば半透明のフィルムよりなるブック形態のカードホルダーが使用されている。
【考案の開示】
【考案が解決しようとする課題】
【０００３】  上記カードホルダーを使用することで多数枚のカードを所持できるが、カードの出し入れ等に際して他のカードがフィルム間の保持隙間から脱落して紛失しまう恐れがあり、また、ブック形態のカードホルダーは全体の見栄えが良くないというデザイン上の問題点があった。【０００４】  この考案は、複数枚のカードの安定保持が可能であるとともに、意匠性にも優れる実用的なカードの収納用ケースを提供することを目的とする。
【課題を解決するための手段】
【０００５】  この考案では、開閉可能なケース体内にブック形態のカードホルダーが備えられ、前記ケース体が開かれた状態において前記カードホルダーにおけるカードの出し入れが可能とされてなるカード収納用ケースを提供する。【０００６】  この考案のカード収納用ケースによれば、ケース体が閉じられた状態においてはカードホルダーが目に触れることが無いので見栄えが良く、また、カードホルダーがケース体内にあることでカードの紛失が確実に回避される。
【考案の効果】
【０００７】  この考案によれば、複数枚のカードの安定保持が可能であるとともに、意匠性にも優れる実用的なカードの収納用ケースが得られる。
【考案を実施するための最良の形態】
【０００８】  図１はこの考案のカード収納用ケース１００の実施形態の開き状態を示す斜視図、図２は閉じ状態を示す断面図である。【０００９】  １はプラスチックス製のケース体であり、連接部２の両側にケース片３、４のそれぞれが連続一体に設けられて構成されている。連接部２とケース片３、４それぞれとは薄肉の折り曲げ部５、６で連続し、この折り曲げ部５、６で連接部２に対してケース片３、４が内側に折り曲げられることでケース体１は閉じられるようになっている。【００１０】  ケース片３、４それぞれの閉じられた際に合わされるケース壁１３、１４にはロック片８、９それぞれが一体に設けられ、それらが互いに係合されることでケース体１はその閉じ状態が維持されるようになっている。ケース片３のケース壁１３のロック部８の両側にはロック補助部１２それぞれが一体に突出形成され、このロック補助部１２それぞれが閉じられた際に下側に位置するケース片４のロック部９の両側のケース壁１４の内面を外方に押すことでロック部８、９どうしの係合が安定して行なわれるようになっている。【００１１】  １５はリフィールとも呼ばれるブック形態のカードホルダーで、従来においてカードを収納するように用いられていたものと同様の構成であって、カードを両面に収納可能な半透明のプラスチックフィルムよりなるポケット片１７がブック形態に一体にまとめられたもので、例えば、８個のポケット片１７が使用されることで１６枚のカードが収納できるようになっている。【００１２】  カードホルダー１５はその中間部１８が連接部２の内面に下記のように固着されてケース体１に一体に取り付けられている。すなわち、図３にも示すように、中間部１８には３個の固定穴２６が設けられており、それら固定穴２６それぞれに固定用突起２７それぞれを嵌設するようにプラスチックス製の固定片２８を配置し、それら固定用突起２７の先端を超音波振動により連接部２の内面に溶着させている。これによりカードホルダー１５の中間部１８をケース体１の連接部２と固定片２８間に挟み込んで固定している。ケース体１、カードホルダー１５のプラスチック材料としてはポリプロピレンを用いる場合が多く、その際には接着により両者を固着することができないが、上記の方法により強固な固着を可能としている。【００１３】  上記カード収納用ケース１００は図２に示すようにケース体１が閉じられた状態において持ち運ばれ、図１に示すように開かれた状態においてカードホルダー１５でのカードの出し入れが行なわれる。閉じられた状態においてはカードホルダー１５が殆ど目に触れることが無いので見栄えが良く、かつ、通常ケース体１表面に転写フィルムを使用してキャラクター等の所望のデザイン模様が付されることで非常にデザイン性の優れたものとなっている。また、カードホルダー１５がケース体１内にあることでカードを持ち運び時に紛失することがない。【００１４】  カードの出し入れに際しては、ケース片３、４それぞれの相対するケース壁２０それぞれ、２１それぞれに切り欠き部２２、２３がともに設けられていることで、そのケース壁２０、２１部分が邪魔となることなくその出し入れ作業が容易にできるようになっている。この出し入れに際しても���の作業はケース体１内で行なわれるので、従来のようにカードを落下させて紛失するようなことが防がれる。【００１５】  図４はカード収納用ケース１００の他の実施形態を示す。このものでは、カードホルダー１５側に一体に設けた一対の軸支ピン３０それぞれがケース体１の連接部２設けた一対の軸支筒３１それぞれに嵌入されてカードホルダー１５が取り付けられるようにし、ケース体１に対してカードホルダー１５が取り外し可能とされている。このような構成によりカードホルダー１５に対して異なるデザインのケース体１５が取り替え使用できるようになるとともに、また、同一のケース体１に対して異なるカードホルダー１５を使用することが可能となる。
【図面の簡単な説明】
【図１】  この考案のカード収納用ケースの実施形態の開き状態を示す斜視図
【図２】  この考案のカード収納用ケースの実施形態の閉じ状態を示す断面図
【図３】  この考案のカード収納用ケースの実施形態の要部の端面図
【図４】  この考案のカード収納用ケースの他の実施形態の開き状態を示す斜視図
【符号の説明】
１    ケース体
１５  カードホルダー
１００  カード収納用ケース
【図１】
0003114309.tif 000003
【図２】
0003114309.tif 000004
【図３】
0003114309.tif 000005
【図４】
0003114309.tif 000006
(57)【要約】【課題】  調味料入れ容器の上に、ノズル付き容器と計量器付き容器を取り付けることで、計量するときに調味料がこぼれることなく、少量でも正確に計量することができる計量器付き調味料入れ容器を提供する。【解決手段】  調味料入れ容器１の上に、ノズルの付いた容器２をネジ込み、２の上に透明の計量器付き容器３をネジ込む。容器を逆さにしてノズル５から調味料を押し出し、計量器の目盛で必要な量を計り、容器を元の位置に戻して注ぎ口から注ぐのを特徴とする。【選択図】  図１
0003114310.tif 000002
【実用新案登録請求の範囲】
【請求項１】
調味料入れ１の上に、真ん中にノズル５のついたノズル付き容器２をはめ込み、又はネジ込み、ノズル付き容器２の上に透明の計量器３をはめ込み、又はネジ込んだ計量器付き調味料入れ容器。
【請求項２】
調味料入れ１の上に、側面にノズル８のついたノズル付き容器２をはめ込み、又はネジ込み、ノズル付き容器２の上に透明の計量器３をはめ込み、又はネジ込んだ、請求項１の計量器付き調味料入れ容器。
【考案の詳細な説明】
【技術分野】
【０００１】  この考案は、調味料入れ容器の上に、ノズル付き容器と計量器付き容器を取り付けた計量器付き調味料入れ容器に関するものである。
【背景技術】
【０００２】  従来、調味料入れと計量器は別々であり不便であった。
【考案の開示】
【考案が解決しようとする課題】
【０００３】  これまでは次のような問題点があった。
計量スプーンに醤油とか液体の調味料を入れるとき、スプーンに一杯を計量するのに摺り切りなのでこぼれることがよくある。また、スプーンに半分とか三分の一を計量する場合、計量スプーンは半球状なのに半分とか三分の一の目盛がなく、大体の目安で計量していた。
本考案は、以上のような欠点を無くし、正確に計量するためになされたものである。
【課題を解決するための手段】
【０００４】  弾力性のある樹脂で調味料を入れる容器を作る。底のある容器の一部にノズル状の調味料の出口の穴をもうける。その穴はごく小さな穴でよい。このノズル付き容器を調味料入れの容器の上にネジ込む。目盛と注ぎ口のついた透明の容器を、ノズル付き容器の上にネジ込む。
以上の構成よりなる調味料入れ容器である。
【考案の効果】
【０００５】  密閉された三つの容器の中で計量するため、調味料がこぼれる心配がない。また、片手で容器をもち目の高さで計量できるので、正確に少量でも計量できる。
【考案を実施するための最良の状態】
【０００６】  以下、添付図面にしたがって本考案の実施例について説明する。
調味料入れ１は、弾力性のある樹脂の容器である。ノズル付き容器２は、底のある容器の一部がノズル状の小さな穴があいた調味料の出口になった容器である。計量器３は、透明の容器で目盛と注ぎ口がついた容器である。この二つの容器はネジで締め込んで一体のものである。
使用例を説明すると、一体となった三つの容器を逆さにして、調味料入れ１の容器を圧迫して、ノズル５の穴からゆっくり調味料を押し出し、計量器３の目盛で必要な量を計る。一体となった三つの容器を元の位置に戻すと、目盛で計った調味料はノズル付き容器２のノズル以外の底部にいちじ溜まる。容器を傾けると傾斜部４にそって注ぎ口６から注ぐことができる。
また、注ぎ口６から注ぐときに、調味料入れ１の調味料がノズル５から出ないように傾斜部４がもうけてある。
図４の、注ぎ口６と反対の側面にノズル８を設けると、ドレッシングのような、少しとろみのある調味料に適している。
図７は、粉末の調味料のときの容器である。
これの使用例を説明すると、容器を逆さにして、穴のあいたフタ上部１１を回して穴のあいたフタ１０の穴と重ねる。調味料入れ１の容器を圧迫して、穴から調味料を出し計量器３の目盛で必要な量を計る。フタ上部１１を回して穴の位置をずらし調味料が出ないようにする。計量器３をフタ１１からはずすと、計量器３に調味料が計量されている。また、図７の計量器３に、図１のように注ぎ口６を設けて、計量した粉末の調味料を注ぎ口６から、ふり出すこともできる。
なお、本考案の調味料入れの容器は、調味料以外の液体及び粉末の容器としても利用することができる。例えば、液体洗剤の計量器付き容器、粉末洗剤の計量器付き容器等。
【図面の簡単な説明】
【０００７】
【図１】本考案の正面の断面図である。
【図２】図１の平面図である。
【図３】図１のノズル付き容器２の部分の平面図である。
【図４】登録請求の範囲請求項２の正面の断面図である。
【図５】図４の平面図である。
【図６】図４のノズル付き容器２の部分の平面図である。
【図７】本考案の実施例に係わる容器の正面の断面図である。
【図８】図７の平面図である。
【図９】図７の穴のあいたフタ上部１１の部分の平面図である。
【符号の説明】
【０００８】    １    調味料入れ容器
２    ノズル付き容器
３    透明の計量器
４    傾斜部
５    ノズル
６    注ぎ口
７    目盛
８    ノズル
９    穴
１０  穴のあいたフタ下部
１１  穴のあいたフタ上部
【図１】
0003114310.tif 000003
【図２】
0003114310.tif 000004
【図３】
0003114310.tif 000005
【図４】
0003114310.tif 000006
【図５】
0003114310.tif 000007
【図６】
0003114310.tif 000008
【図７】
0003114310.tif 000009
【図８】
0003114310.tif 000010
【図９】
0003114310.tif 000011